(57)【要約】【課題】大掛かりな成形装置を用いなくても限られた小さなスペースで容易に製造することができ、小ロットのものでも安価に製造することができる上、ガスバリア性や耐光性等の機能を容易に付加することが可能な合成樹脂製缶状体を提供する。【解決手段】合成樹脂製缶状体１は、厚さ約１５０μｍのポリプロピレンフィルムを捲回させて端縁同士をヒートシールしてなる胴材２と、胴材２の上端縁および下端縁に固着されたリング状の縁材３，３と、ポリプロピレンフィルムによって円形に形成されており上側の縁材３に固着された蓋材４と、ポリプロピレンフィルムによって円形に形成されており下側の縁材３に固着された底材とによって構成されている。【選択図】図２
2018122919.tif 000002
【特許請求の範囲】
【請求項１】
合成樹脂によって中空の円筒状に形成された缶状体であって、
合成樹脂からなる円筒状の胴材の上下に、合成樹脂フィルムからなる円形の蓋材および底材を熱融着させたものであることを特徴とする合成樹脂製缶状体。
【請求項２】
胴材の上端縁および下端縁に、それぞれ、胴材より硬度の高い合成樹脂からなるリング状の縁材が固着されており、それらの縁材に蓋材および底材が熱融着されていることを特徴とする請求項１に記載の合成樹脂製缶状体。
【請求項３】
蓋材がイージーピール性の合成樹脂によって形成されたものであることを特徴とする請求項１、または請求項２に記載の合成樹脂製缶状体。
【発明の詳細な説明】
【技術分野】
【０００１】
本発明は、食品、薬品、化粧品、洗剤等の各種の液体や粉体等を包装（収納）するための合成樹脂製の缶状体に関するものである。
【背景技術】
【０００２】
従来、食品、薬品、化粧品、洗剤等の各種の液体や粉体等を包装（収納）するための包装部材として、合成樹脂フィルムからなる各種のパウチやガゼット袋が広く使用されている。また、各種の食品や飲料等を収納するための従来の金属缶の代替品として、特許文献１の如く、合成樹脂を二軸延伸ブロー成形してなる缶状体（広口缶）も開発されている。かかる合成樹脂製の缶状体は、従来の金属缶に比べて軽量で取り扱いが容易である上、廃棄透明な合成樹脂によって形成すれば内容物を確認し易いものとなる。
【先行技術文献】
【特許文献】
【０００３】
【特許文献１】特開平７−１３２９３５号公報
【発明の概要】
【発明が解決しようとする課題】
【０００４】
しかしながら、上記特許文献１の如き、合成樹脂をブロー成形してなる缶状体は、大掛かりなブロー成形装置を用いなければ製造することができないため、限られた小さなスペースで容易に製造することが困難である上、小ロットのものを安価に製造することも困難である。さらに、合成樹脂をブロー成形してなる缶状体は、ガスバリア性や耐光性等の機能を発現させるためには、原料樹脂自体をそれらの機能を発現可能なものに変えなければならない、という不具合もある。
【０００５】
本発明の目的は、上記従来の合成樹脂製の缶状体が有する問題点を解消し、大掛かりな成形装置を用いなくても限られた小さなスペースで容易に製造することができ、小ロットのものでも安価に製造することができる上、ガスバリア性や耐光性等の機能を容易に付加することが可能な合成樹脂製缶状体を提供することにある。
【課題を解決するための手段】
【０００６】
本発明の内、請求項１に記載された発明は、合成樹脂によって中空の円筒状に形成された缶状体であって、合成樹脂フィルムからなる円筒状の胴材の上下に、合成樹脂フィルムからなる円形の蓋材および底材を熱融着させたことを特徴とするものである。
【０００７】
請求項２に記載された発明は、請求項１に記載された発明において、胴材の上端縁および下端縁に、それぞれ、胴材より硬度の高い合成樹脂からなるリング状の縁材が固着されており、それらの縁材に蓋材および底材が熱融着されていることを特徴とするものである。
【０００８】
請求項３に記載された発明は、請求項１、または請求項２に記載された発明において、蓋材がイージーピール性の合成樹脂によって形成されたものであることを特徴とするものである。
【発明の効果】
【０００９】
請求項１に記載の合成樹脂製缶状体は、円筒状の胴材の上下に円形の蓋材および底材を熱融着させたものであるので、薄い合成樹脂フィルムによって形成した場合でも、高い剛性を発現するため、非常に安定した状態で起立させることができ、わずかなスペースでコンパクトに収納・陳列に供することができる上、小スペースで容易かつ安価に製造することができる。また、胴材の内面に、ガスバリア性や耐光性等の各種の機能を有するフィルムを積層するだけで、それらのフィルムが有する機能を容易に発現させることができる。
【００１０】
請求項２に記載の合成樹脂製缶状体は、形態安定性が高いため、大容量のものを形成した場合でも、きわめて安定した状態で起立させることができる。
【００１１】
請求項３に記載の合成樹脂製缶状体は、蓋材がイージーピール性の合成樹脂によって形成されたものであるため、蓋材を容易に胴材（あるいは縁材）から引き剥がして内容物を取り出すことができる。
【図面の簡単な説明】
【００１２】
【図１】合成樹脂製缶状体の正面図である。
【図２】合成樹脂製缶状体の斜視図である。
【図３】合成樹脂製缶状体の水平断面図（図１におけるＡ−Ａ線端面図）である。
【図４】合成樹脂製缶状体の鉛直断面図（図１におけるＢ−Ｂ線断面図）である。
【図５】合成樹脂製缶状体の鉛直断面図（図１におけるＢ−Ｂ線断面図）である。
【図６】合成樹脂製缶状体の水平断面図（図１におけるＡ−Ａ線端面図）である。
【発明を実施するための形態】
【００１３】
本発明に係る合成樹脂製缶状体は、合成樹脂からなる円筒状の胴材の上下に、合成樹脂フィルムからなる円形の蓋材および底材を熱融着させることによって製造される。前記胴材は合成樹脂フィルムを捲回させた円筒や、合成樹脂を円筒状に押し出した円筒が使用される。当該合成樹脂フィルムとしては、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリ塩化ビニル、ポリイミド等、あるいは、それらの樹脂の共重合体等の合成樹脂からなる単層のフィルム（あるいはシート）、あるいは、それらの合成樹脂からなる層を２つ以上積層させてなるラミネートフィルム、共押出フィルム等の積層フィルム等を好適に用いることができる。また、それらの単層のフィルムや積層フィルムの表裏あるいは中間に、紙からなる層、アルミ箔からなる層、金属蒸着層、無機蒸着層等を積層させたものを用いることも可能である。当該押し出し円筒に使用される合成樹脂としては、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリ塩化ビニル、ポリイミド等、あるいは、それらの樹脂の共重合体等を好適に用いることができる。また、それらの樹脂を単層や多層で押し出して円筒とすることができる。さらに当該円筒の表あるいは裏に、紙からなる層、アルミ箔からなる層、金属蒸着層や無機蒸着を有するフィルム層等を貼り合わせたものを用いることも可能である。
【００１４】
また、胴材、蓋材、底材の材料として、少なくとも片面に熱接着性（熱融着性）の層が積層された合成樹脂フィルムを用いると、合成樹脂製缶状体の製造が容易なものとなるので好ましい。そのような熱接着性の層としては、たとえば、ポリエチレンや無延伸ポリプロピレン等からなるフィルムを用いることができる。
【００１５】
加えて、本発明に係る合成樹脂製缶状体は、胴材、蓋材、底材の形成材料として、ガスバリア層を積層した合成樹脂製フィルムを用いることによって、容易にガスバリア性を付与することができる。そのようなバリア層を積層した合成樹脂製フィルムとしては、エチレン−ビニルアルコール共重合体フィルム、あるいはエチレン−ビニルアルコール共重合体フィルムまたはポリメタキシリレンアジパミドフィルムのナイロン等との共押出しフィルムを好適に用いることができる。また、酸化ケイ素や酸化アルミニウムが蒸着されたポリエステル等のフィルム、アルミニウム箔やアルミニウムが蒸着されたポリエステルやナイロン等のフィルムをラミネートや共押出し等の方法によってベースフィルム上に積層すること等によって、バリア層を積層した合成樹脂製フィルムを得ることも可能である。
【００１６】
また、合成樹脂製缶状体の胴材、蓋材、底材の形成材料として使用する合成樹脂フィルムの厚み（総厚み）は特に限定されないが、その厚みを１００〜３００μｍに調整すると、安価に製造することができ、従来の缶ジュースや缶ビール程度の金属缶程度の容量（すなわち、１００〜５００ｍｌ）のものを製造した場合に、安定した形態保持が可能となる上、廃棄する際の減容も容易となるので好ましい。
【実施例】
【００１７】
以下、本発明に係る合成樹脂製缶状体について実施例に基づいてより詳細に説明するが、本発明は、かかる実施例の態様に何ら限定されるものではなく、本発明の趣旨を逸脱しない範囲で、適宜変更することが可能である。
【００１８】
＜合成樹脂製缶状体の構造＞
図１〜４は、本発明に係る合成樹脂製缶状体を示したものであり、合成樹脂製缶状体１は、胴材２、上下の縁材３，３、蓋材４、底材５によって構成されている。胴材２は、厚さ約１５０μｍの矩形のポリプロピレンフィルムを捲回させて、端縁同士を所定の幅（約７ｍｍ幅）でヒートシールすることによって、直径（内径）＝約６０ｍｍで高さ＝約１００ｍｍの円筒状に形成されている。
【００１９】
また、上下の縁材３，３は、硬質のポリプロピレンによってリング状（扁平な円柱状）に形成されており、扁平な環状の載置片３ａが、内面の上端際から内向きに突出した状態になっている。かかる縁材３は、胴材２の上端縁において、溶融させた硬質のポリプロピレン樹脂をコンプレッション成形することによって形成されており、下端際の部分が胴材２を内外で挟み込んだ状態になっている。
【００２０】
一方、蓋材４は、イージーピール性の樹脂（たとえば、重合性ビニルモノマーで改質したポリオレフィン系ポリマーアロイ）からなる厚さ約１００μｍのフィルムによって円形に形成されている。そして、当該蓋材４は、端縁際の所定の幅（約５ｍｍ幅）の部分を、上側の縁材３の載置片３ａの上に載置させ、当該載置部分を載置片３ａにヒートシールすることによって、当該縁材３に固着されている。なお、蓋材４には、舌片状の摘み（図示せず）が、円周状の端縁から突出するように設けられている。
【００２１】
また、底材５は、胴材２と同様な厚さ約１５０μｍのポリプロピレンフィルムによって円形に形成されている。そして、当該底材５は、端縁際の所定の幅（約５ｍｍ幅）の部分を、下側の縁材３の載置片３ａの上に載置させ、当該載置部分を載置片３ａにヒートシールすることによって、当該縁材３に固着されている。
【００２２】
＜合成樹脂製缶状体の使用方法＞
上記の如く構成される合成樹脂製缶状体１は、蓋材４を上側の縁材３に固着する前（底材５が下側の縁材３に固着された状態）で上方の開口部からジュース等の内容物を充填して、あるいは、底材５を下側の縁材３に固着する前（蓋材４が上側の縁材３に固着された状態）で下方の開口部からジュース等の内容物を充填して用いられる。
【００２３】
＜合成樹脂製缶状体による効果＞
合成樹脂製缶状体１は、上記の如く、合成樹脂フィルムを捲回させた円筒状の胴材２の上下に、合成樹脂フィルムからなる円形の蓋材４および底材５を熱融着させたものであるので、薄い合成樹脂フィルムによって形成した場合でも、高い剛性を発現するため、非常に安定した状態で起立させることができ、わずかなスペースでコンパクトに収納・陳列に供することができる上、小スペースで容易かつ安価に製造することができる。
【００２４】
また、合成樹脂製缶状体１は、胴材２の上端縁および下端縁に、それぞれ、胴材２より硬度の高い合成樹脂からなるリング状の縁材３，３が固着されており、それらの縁材３，３に蓋材４および底材５が熱融着（ヒートシール）されており、形態安定性が高いため、大容量のものを形成した場合でも、きわめて安定した状態で起立させることができる。
【００２５】
さらに、合成樹脂製缶状体１は、蓋材４がイージーピール性の合成樹脂によって形成されたものであるため、蓋材４を容易に縁材３から引き剥がして内容物を取り出すことができる。
【００２６】
＜合成樹脂製缶状体の変更例＞
本発明に係る合成樹脂製缶状体の構成は、上記した各実施形態の態様に何ら限定されるものではなく、胴材、上下の縁材、蓋材、底材等の形状・構造・材質等の構成を、本発明の趣旨を逸脱しない範囲で、必要に応じて適宜変更できる。
【００２７】
たとえば、合成樹脂製缶状体は、上記実施形態の如く、胴材の上下の端縁際に縁材を固着して、それらの縁材に蓋材および底材を固着したものに限定されず、図５の如く、周状の端縁際を断面コ字状（２枚の垂直板を半径方向に平行に配置させた状態）に形成した蓋材４’および／または底材５’を、そのコ字状部分が円筒状の胴材２の上端際あるいは下端際を外嵌するように装着して、当該コ字状部分を構成している２枚の垂直板を胴材２の上端際あるいは下端際にヒートシールすることによって、蓋材４’および／または底材５’を円筒状の胴材２に固着したもの等でも良い。
【００２８】
また、円筒状の胴材は、上記実施形態の如く、端縁同士を所定の幅でヒートシールすることによって円筒状に形成したものに限定されず、図６の如く、矩形状の合成樹脂フィルムの端縁同士を突き合わせて、その突き合わせた部分の表側および／または裏側から一体幅のテープ（帯状の熱接着性フィルム）６，６をヒートシールすることによって円筒状に形成したものや、一定幅の円形のスリットを設けたダイスから溶融押出しすることによって無端の円筒状に形成したもの等でも良い。
【００２９】
さらに、胴材、蓋材、底材は、上記実施形態の如く、熱接着性を有する単層の合成樹脂フィルムからなるものに限定されず、ガスバリア層と熱接着層とを積層してなる積層フィルムからなるもの等に変更することも可能である。
【産業上の利用可能性】
【００３０】
本発明の合成樹脂製缶状体は、上記の如く優れた効果を奏するものであるから、従来の金属缶に代わる包装容器として好適に用いることができる。
【符号の説明】
【００３１】
１・・合成樹脂製缶状体
２・・胴材
３・・縁材
４，４’・・蓋材
５，５’・・底材
【図１】
2018122919.tif 000003
【図２】
2018122919.tif 000004
【図３】
2018122919.tif 000005
【図４】
2018122919.tif 000006
【図５】
2018122919.tif 000007
【図６】
2018122919.tif 000008